(57)【要約】【課題】  ユーザに対して、実行可能な処理を画面に提示できるようにする。【解決手段】  フォーマット識別部１１２は、光ディスクから読み出した光ディスクに関するディスク情報に基づいて、アプリケーション層に規定されている記録フォーマットおよび記録フォーマットのバージョンを識別する。バージョン判定部１１３は、フォーマット識別部１１２により識別されたバージョン、自分が対応している記録フォーマットのバージョン、および機器対応情報記憶部１１４が記憶している機器対応情報を基に、実行できる処理が制限されるか否かを判定し、実行できる処理が制限される場合、実行できる処理が限定されることを示すアイコンを生成させて、生成したアイコンを画像データに重畳させることで、ユーザに対して、実行可能な処理を画面に提示できるようにする。本発明は、記録装置に適用できる。【選択図】  図３
2006155741.tif 000002
【特許請求の範囲】
【請求項１】
装着されているディスク媒体にデータを記録する記録装置において、
前記ディスク媒体から読み出した情報であって、前記ディスク媒体に記録するデータのフォーマットに関する情報に基づいて、前記ディスク媒体に記録されるデータの用途により定まる前記フォーマットおよび前記フォーマットのバージョンを識別する第１の識別手段と、
前記フォーマットのバージョンと、該装置において実行される処理の可否に関する情報とが関連付けられたデータを保持する保持手段と、
識別された前記バージョンに基づいて、前記保持手段に保持された前記データを参照し、前記ディスク媒体を使用して実行される処理が制限されるか否かを判定する判定手段と、
前記判定手段において、前記実行される処理が制限されると判定された場合、前記ディスク媒体を使用して実行できる処理が制限されることを示す第１の画像を表示させるための第１の画像データを生成する生成手段と、
生成された前記第１の画像データに基づいて、前記第1の画像の表示を制御する表示制御手段と
を備えることを特徴とする記録装置。
【請求項２】
前記ディスク媒体から読み出したプロファイルに基づいて、前記ディスク媒体の物理的な特性により定まる前記ディスク媒体の種類を識別する第２の識別手段と、
前記生成手段は、前記ディスク媒体の種類を識別する第２の画像を表示させるための第２の画像データを生成し、
前記表示制御手段は、前記第２の画像データに基づいて、前記第２の画像の表示を制御する
ことを特徴とする請求項１に記載された記録装置。
【請求項３】
前記生成手段は、前記判定手段において、前記実行される処理が制限されないと判定された場合、前記ディスク媒体を使用して実行できる処理の全てを実行できることを示す第２の画像を表示させるための第２の画像データを生成し、
前記表示制御手段は、生成された前記第２の画像データに基づいて、前記第２の画像の表示を制御する
ことを特徴とする請求項１に記載された記録装置。
【請求項４】
装着されているディスク媒体にデータを記録する記録装置の記録方法において、
前記ディスク媒体から読み出した情報であって、前記ディスク媒体に記録するデータのフォーマットに関する情報に基づいて、前記ディスク媒体に記録されるデータの用途により定まる前記フォーマットおよび前記フォーマットのバージョンを識別する第１の識別ステップと、
前記フォーマットのバージョンと、該装置において実行される処理の可否に関する情報とが関連付けられたデータを保持する保持ステップと、
識別された前記バージョンに基づいて、前記保持ステップに保持された前記データを参照し、前記ディスク媒体を使用して実行される処理が制限されるか否かを判定する判定ステップと、
前記判定ステップにおいて、前記実行される処理が制限されると判定された場合、前記ディスク媒体を使用して実行できる処理が制限されることを示す第１の画像を表示させるための第１の画像データを生成する生成ステップと、
生成された前記第１の画像データに基づいて、前記第1の画像の表示を制御する表示制御ステップと
を含むことを特徴とする記録方法。
【請求項５】
装着されているディスク媒体にデータを記録する記録装置の記録処理用のプログラムであって、
前記ディスク媒体から読み出した情報であって、前記ディスク媒体に記録するデータのフォーマットに関する情報に基づいて、前記ディスク媒体に記録されるデータの用途により定まる前記フォーマットおよび前記フォーマットのバージョンを識別する第１の識別ステップと、
前記フォーマットのバージョンと、該装置において実行される処理の可否に関する情報とが関連付けられたデータを保持する保持ステップと、
識別された前記バージョンに基づいて、前記保持ステップに保持された前記データを参照し、前記ディスク媒体を使用して実行される処理が制限されるか否かを判定する判定ステップと、
前記判定ステップにおいて、前記実行される処理が制限されると判定された場合、前記ディスク媒体を使用して実行できる処理が制限されることを示す第１の画像を表示させるための第１の画像データを生成する生成ステップと、
生成された前記第１の画像データに基づいて、前記第1の画像の表示を制御する表示制御ステップと
を含むことを特徴とするコンピュータが読み取り可能なプログラムが記録されている記録媒体。
【請求項６】
装着されているディスク媒体にデータを記録する記録装置のコンピュータに、記録処理を行わせるプログラムにおいて、
前記ディスク媒体から読み出した情報であって、前記ディスク媒体に記録するデータのフォーマットに関する情報に基づいて、前記ディスク媒体に記録されるデータの用途により定まる前記フォーマットおよび前記フォーマットのバージョンを識別する第１の識別ステップと、
前記フォーマットのバージョンと、該装置において実行される処理の可否に関する情報とが関連付けられたデータを保持する保持ステップと、
識別された前記バージョンに基づいて、前記保持ステップに保持された前記データを参照し、前記ディスク媒体を使用して実行される処理が制限されるか否かを判定する判定ステップと、
前記判定ステップにおいて、前記実行される処理が制限されると判定された場合、前記ディスク媒体を使用して実行できる処理が制限されることを示す第１の画像を表示させるための第１の画像データを生成する生成ステップと、
生成された前記第１の画像データに基づいて、前記第1の画像の表示を制御する表示制御ステップと
を含むことを特徴とするプログラム。
【発明の詳細な説明】
【技術分野】
【０００１】
本発明は記録装置および方法、記録媒体、並びにプログラムに関し、特に、ユーザに対して、実行可能な処理を画面に提示することができるようにした記録装置および方法、記録媒体、並びにプログラムに関する。
【背景技術】
【０００２】
昨今、DVD（Digital Versatile Disk）などの光ディスクを記録媒体とするデジタルビデオカメラが普及している。これらのデジタルビデオカメラに装着された光ディスクについて、物理層、論理層、またはアプリケーション層などの階層によって、システムの構成が規定されている。この場合、光ディスクの要素は、複数の階層において、それぞれ１つ以上規定され、デジタルビデオカメラの要素は、光ディスクの複数の階層において規定されている１つ以上の要素に対応するように規定される。
【０００３】
具体的には、光ディスクがDVDである場合、物理層には、DVDの種類の情報として、ディスクの構造、変調方式、エラー訂正方式等、すなわち、DVD-R（DVD Specifications for Recordable Disk）、DVD-RW（DVD Specifications for Re-recordable Disc）、またはDVD+RW（DVD Specifications for +ReWritable Disc）などが規定され、論理層には、ファイルシステムの論理フォーマット（以下、ファイルフォーマットと称する）として、UDF（Universal Disk Format）またはUDFブリッジなどが規定され、アプリケーション層には、DVDにデータを記録するアプリケーションフォーマット（以下、記録フォーマットと称する）として、DVD-Videoフォーマット（以下、ビデオモードと称する）、DVD VIDEO Recordingフォーマット（以下、VRモードと称する）、またはDVD+RW VIDEOフォーマット（以下、+VRモードと称する）などが規定される。
【０００４】
より具体的には、デジタルビデオカメラが、DVD+RWであるDVDの種類に対応し、さらに+VRモードである記録フォーマットに対応している場合、DVD+RWである光ディスクに対して、+VRモードである記録フォーマットでデータを記録することができる。
【０００５】
ユーザは、このデジタルビデオカメラを用いて、被写体を撮影する場合、デジタルビデオカメラのドライブにDVDを装着する。デジタルビデオカメラは、ドライブに装着されたDVDの種類が、DVD-Rであるか、またはDVD+RWであるかなど、物理層の要素の識別を行う。さらに、デジタルビデオカメラは、ドライブに装着されたDVDの記録フォーマットが、ビデオモードであるか、または+VRモードであるかなど、アプリケーション層の要素の識別も行う。
【０００６】
従来のデジタルビデオカメラは、これらの識別の結果、図１に示される表示画面を表示部１に表示させる。
【０００７】
図１は、従来のデジタルビデオカメラの画面を表示する表示部１を示す図である。
【０００８】
図１で示される従来のデジタルビデオカメラの画面を表示する表示部１には、上部の右から順に、装着されたDVD（光ディスク）の物理層において規定されているディスクの種類が+RW（すなわち、DVD+RW）であることを示すメディアアイコン２−１と、アプリケーション層において規定されている記録フォーマットの種類がVIDEO（すなわち、DVD VIDEO Recordingフォーマット（+VRモード））であることを示す記録フォーマットアイコン２−２が示されている。
【０００９】
このように、従来のデジタルビデオカメラでは、ユーザは、これらのメディアアイコン２−１と記録フォーマットアイコン２−２とからなるアイコン２を見ることにより、装着されたDVDが書き換え可能であるDVD+RWであり、アプリケーション層において規定されている記録フォーマットの種類がVIDEOであることを識別する。
【００１０】
アイコン２の左側には、0:00:00である録画経過時間、すなわち、まだ録画がされていないことを示すカウンタ３が示されている。また、カウンタ３の左側には、バッテリの残り時間が１２０分であることを示すバッテリ残量４が示されている。
【００１１】
以上のようにして、従来のデジタルビデオカメラは、ディスクの種類と記録フォーマットの種類を表示している。
【００１２】
また、ドライブより読み出された光ディスクのディスクプロファイルに基づいて、物理層において規定されている要素であるディスクの種類と、アプリケーション層において規定されている要素である記録フォーマットの種類とを識別し、ディスクの種類および記録フォーマットの種類に対応する情報（アイコンなど）を生成し、生成した情報をビデオデータに重畳して表示させるカメラ一体型レコーダもある（例えば、特許文献１参照）。
【００１３】
【特許文献１】特開２００４−２０６８２４号公報
【発明の開示】
【発明が解決しようとする課題】
【００１４】
しかしながら、光ディスクのアプリケーション層で規定されている記録フォーマットや、論理層で規定されているファイルフォーマットには、それぞれにバージョンが規定されているので、同じ記録フォーマットの種類やファイルフォーマットでありながら、バージョンが違うために、動作（実行可能な処理）が異なることがあり、単に、ディスクの種類と記録フォーマットの種類とを画面に表示させるだけでは、デジタルビデオカメラの動作が正確に提示されているとは言えなかった。
【００１５】
例えば、特開２００４−２０６８２４号公報に開示されているカメラ一体型レコーダは、ディスクの種類と記録フォーマットの種類を表示するようにしているが、バージョン情報に関する表示がされていないために、ユーザに対して、正確な情報を提示しているとは言えなかった。
【００１６】
具体的には、+VRモードには、バージョン1.2とバージョン2.0があり、バージョン1.2では静止画像を記録することができないが、それに対して、バージョン2.0では静止画像を記録することができるなど、記録フォーマットのバージョンの違いによって動作が異なることがあり、これを正確に表示していなかった。
【００１７】
本発明はこのような状況に鑑みてなされたものであり、ユーザに対して、より正確に、装着された光ディスクを利用して実行することができる処理を通知するようにするものである。
【課題を解決するための手段】
【００１８】
本発明の記録装置は、ディスク媒体から読み出した情報であって、ディスク媒体に記録するデータのフォーマットに関する情報に基づいて、ディスク媒体に記録されるデータの用途により定まるフォーマットおよびフォーマットのバージョンを識別する第１の識別手段と、フォーマットのバージョンと、該装置において実行される処理の可否に関する情報とが関連付けられたデータを保持する保持手段と、識別されたバージョンに基づいて、保持手段に保持されたデータを参照し、ディスク媒体を使用して実行される処理が制限されるか否かを判定する判定手段と、判定手段において、実行される処理が制限されると判定された場合、ディスク媒体を使用して実行できる処理が制限されることを示す第１の画像を表示させるための第１の画像データを生成する生成手段と、生成された第１の画像データに基づいて、第1の画像の表示を制御する表示制御手段とを備えることを特徴とする。
【００１９】
本発明の記録装置は、ディスク媒体から読み出したプロファイルに基づいて、ディスク媒体の物理的な特性により定まるディスク媒体の種類を識別する第２の識別手段と、生成手段は、ディスク媒体の種類を識別する第２の画像を表示させるための第２の画像データを生成し、表示制御手段は、第２の画像データに基づいて、第２の画像の表示を制御することを特徴とする。
【００２０】
生成手段は、判定手段において、実行される処理が制限されないと判定された場合、ディスク媒体を使用して実行できる処理の全てを実行できることを示す第２の画像を表示させるための第２の画像データを生成し、表示制御手段は、生成された第２の画像データに基づいて、第２の画像の表示を制御することを特徴とする。
【００２１】
本発明の記録方法は、ディスク媒体から読み出した情報であって、ディスク媒体に記録するデータのフォーマットに関する情報に基づいて、ディスク媒体に記録されるデータの用途により定まるフォーマットおよびフォーマットのバージョンを識別する第１の識別ステップと、フォーマットのバージョンと、該装置において実行される処理の可否に関する情報とが関連付けられたデータを保持する保持ステップと、識別されたバージョンに基づいて、保持ステップに保持されたデータを参照し、ディスク媒体を使用して実行される処理が制限されるか否かを判定する判定ステップと、判定ステップにおいて、実行される処理が制限されると判定された場合、ディスク媒体を使用して実行できる処理が制限されることを示す第１の画像を表示させるための第１の画像データを生成する生成ステップと、生成された第１の画像データに基づいて、第1の画像の表示を制御する表示制御ステップとを含むことを特徴とする。
【００２２】
本発明の記録媒体のプログラムは、ディスク媒体から読み出した情報であって、ディスク媒体に記録するデータのフォーマットに関する情報に基づいて、ディスク媒体に記録されるデータの用途により定まるフォーマットおよびフォーマットのバージョンを識別する第１の識別ステップと、フォーマットのバージョンと、該装置において実行される処理の可否に関する情報とが関連付けられたデータを保持する保持ステップと、識別されたバージョンに基づいて、保持ステップに保持されたデータを参照し、ディスク媒体を使用して実行される処理が制限されるか否かを判定する判定ステップと、判定ステップにおいて、実行される処理が制限されると判定された場合、ディスク媒体を使用して実行できる処理が制限されることを示す第１の画像を表示させるための第１の画像データを生成する生成ステップと、生成された第１の画像データに基づいて、第1の画像の表示を制御する表示制御ステップとを含むことを特徴とする。
【００２３】
本発明のプログラムは、ディスク媒体から読み出した情報であって、ディスク媒体に記録するデータのフォーマットに関する情報に基づいて、ディスク媒体に記録されるデータの用途により定まるフォーマットおよびフォーマットのバージョンを識別する第１の識別ステップと、フォーマットのバージョンと、該装置において実行される処理の可否に関する情報とが関連付けられたデータを保持する保持ステップと、識別されたバージョンに基づいて、保持ステップに保持されたデータを参照し、ディスク媒体を使用して実行される処理が制限されるか否かを判定する判定ステップと、判定ステップにおいて、実行される処理が制限されると判定された場合、ディスク媒体を使用して実行できる処理が制限されることを示す第１の画像を表示させるための第１の画像データを生成する生成ステップと、生成された第１の画像データに基づいて、第1の画像の表示を制御する表示制御ステップとを含むことを特徴とする。
【００２４】
本発明の記録装置および記録方法、記録媒体、並びにプログラムにおいては、ディスク媒体から読み出した情報であって、ディスク媒体に記録するデータのフォーマットに関する情報に基づいて、ディスク媒体に記録されるデータの用途により定まるフォーマットおよびフォーマットのバージョンが識別され、フォーマットのバージョンと、該装置において実行される処理の可否に関する情報とが関連付けられたデータが保持される。そして、識別されたバージョンに基づいて、保持されたデータを参照し、ディスク媒体を使用して実行される処理が制限されるか否かが判定され、実行される処理が制限されると判定された場合、ディスク媒体を使用して実行できる処理が制限されることを示す第１の画像を表示させるための第１の画像データが生成され、生成された第１の画像データに基づいて、第1の画像の表示が制御される。
【発明の効果】
【００２５】
本発明によれば、ユーザに対して、より正確に、装着された光ディスクを利用して実行することができる処理を通知することができるとともに、より確実に、操作をさせることができる。
【発明を実施するための最良の形態】
【００２６】
以下に本発明の最良の形態を説明するが、開示される発明と実施の形態との対応関係を例示すると、次のようになる。本明細書中には記載されているが、発明に対応するものとして、ここには記載されていない実施の形態があったとしても、そのことは、その実施の形態が、その発明に対応するものではないことを意味するものではない。逆に、実施の形態が発明に対応するものとしてここに記載されていたとしても、そのことは、その実施の形態が、その発明以外の発明には対応していないものであることを意味するものではない。
【００２７】
さらに、この記載は、明細書に記載されている発明の全てを意味するものではない。換言すれば、この記載は、明細書に記載されている発明であって、この出願では請求されていない発明の存在、すなわち、将来、分割出願されたり、補正により出現し、追加される発明の存在を否定するものではない。
【００２８】
本発明によれば記録装置が提供される。この記録装置は、ディスク媒体から読み出した情報であって、ディスク媒体に記録するデータのフォーマットに関する情報（例えば、ディスク情報）に基づいて、ディスク媒体に記録されるデータの用途により定まるフォーマットおよびフォーマットのバージョンを識別する第１の識別手段（例えば、図３のフォーマット識別部１１２）と、フォーマットのバージョンと、該装置において実行される処理の可否に関する情報（例えば、機器対応情報）とが関連付けられたデータを保持する保持手段（例えば、図３の機器対応情報記憶部１１４）と、識別されたバージョンに基づいて、保持手段に保持されたデータを参照し、ディスク媒体を使用して実行される処理が制限されるか否かを判定する判定手段（例えば、図３のバージョン判定部１１３）と、判定手段において、実行される処理が制限されると判定された場合、ディスク媒体を使用して実行できる処理が制限されることを示す第１の画像を表示させるための第１の画像データを生成する生成手段（例えば、図２のGUI生成部２７）と、生成された第１の画像データに基づいて、第1の画像の表示を制御する表示制御手段（例えば、図２の出力制御手段２８）とを備える。
【００２９】
また、この記録装置は、ディスク媒体から読み出したプロファイルに基づいて、ディスク媒体の物理的な特性により定まるディスク媒体の種類を識別する第２の識別手段（例えば、図３のディスク種類識別部１１１）と、生成手段は、ディスク媒体の種類を識別する第２の画像を表示させるための第２の画像データを生成し、表示制御手段は、第２の画像データに基づいて、第２の画像の表示を制御することを特徴とする。
【００３０】
生成手段は、判定手段において、実行される処理が制限されないと判定された場合、ディスク媒体を使用して実行できる処理の全てを実行できることを示す第２の画像を表示させるための第２の画像データを生成し、表示制御手段は、生成された第２の画像データに基づいて、第２の画像の表示を制御することを特徴とする。
【００３１】
本発明によれば記録方法が提供される。この記録方法は、ディスク媒体から読み出した情報であって、ディスク媒体に記録するデータのフォーマットに関する情報に基づいて、ディスク媒体に記録されるデータの用途により定まるフォーマットおよびフォーマットのバージョンを識別する第１の識別ステップ（例えば、図４のステップＳ１５の処理）と、フォーマットのバージョンと、該装置において実行される処理の可否に関する情報とが関連付けられたデータを保持する保持ステップ（例えば、図４のステップＳ１６の処理）と、識別されたバージョンに基づいて、保持ステップに保持されたデータを参照し、ディスク媒体を使用して実行される処理が制限されるか否かを判定する判定ステップ（例えば、図４のステップＳ１７の処理）と、判定ステップにおいて、実行される処理が制限されると判定された場合、ディスク媒体を使用して実行できる処理が制限されることを示す第１の画像を表示させるための第１の画像データを生成する生成ステップ（例えば、図４のステップＳ２０の処理）と、生成された第１の画像データに基づいて、第1の画像の表示を制御する表示制御ステップ（例えば、図４のステップＳ２１の処理）とを含むことを特徴とする。
【００３２】
本発明によれば、プログラムが提供される。このプログラムは、ディスク媒体から読み出した情報であって、ディスク媒体に記録するデータのフォーマットに関する情報に基づいて、ディスク媒体に記録されるデータの用途により定まるフォーマットおよびフォーマットのバージョンを識別する第１の識別ステップ（例えば、図４のステップＳ１５の処理）と、フォーマットのバージョンと、該装置において実行される処理の可否に関する情報とが関連付けられたデータを保持する保持ステップ（例えば、図４のステップＳ１６の処理）と、識別されたバージョンに基づいて、保持ステップに保持されたデータを参照し、ディスク媒体を使用して実行される処理が制限されるか否かを判定する判定ステップ（例えば、図４のステップＳ１７の処理）と、判定ステップにおいて、実行される処理が制限されると判定された場合、ディスク媒体を使用して実行できる処理が制限されることを示す第１の画像を表示させるための第１の画像データを生成する生成ステップ（例えば、図４のステップＳ２０の処理）と、生成された第１の画像データに基づいて、第1の画像の表示を制御する表示制御ステップ（例えば、図４のステップＳ２１の処理）とを含むことを特徴とする。
【００３３】
このプログラムは、記憶媒体（例えば、図１０の磁気ディスク３３１）に記憶することができる。
【００３４】
以下、図面を参照しながら本発明の実施の形態について説明する。
【００３５】
図２は、本発明を適用したデジタルビデオカメラ１１の一実施の形態の構成を示すブロック図である。
【００３６】
本発明のデジタルビデオカメラ１１は、光ディスクを駆動してデータを記録する記録装置の一例である。デジタルビデオカメラ１１は、例えば、カムコーダ（カメラ一体型ビデオレコーダ）などである。
【００３７】
カメラ部２１は、CCD（Charge Coupled Device）センサなどにより構成される。カメラ部２１は、被写体（図示せず）からの光を取り込み、被写体の画像に対応する画像データをエンコーダ２２に供給する。なお、カメラ部２１を構成する撮像素子は、CCDセンサに限らず、例えば、CMOS（Complementary Metal Oxide Semiconductor）センサなど、画素を単位として画像の信号を生成するものであればよい。
【００３８】
エンコーダ２２は、カメラ部２１から供給された画像データを、例えば、MPEG（Moving Picture Experts Group）2方式でエンコードする。なお、図示は省略するが、デジタルビデオカメラ１１においては、マイクロフォン（マイク）から取り込まれた音声データもオーディオエンコーダによりエンコードされ、画像データと同様に処理される。
【００３９】
制御部２３は、デジタルビデオカメラ１１全体を制御する。
【００４０】
制御部２３は、エンコーダ２２から供給されたエンコードされている画像データを取得し、取得した画像データをドライブ２４に供給する。また、制御部２３は、ドライブ２４から供給された画像データをデコーダ２６に供給する。
【００４１】
また、制御部２３は、ドライブ２４から供給された光ディスク２５の種類などの情報が記録されているディスクプロファイルを基に、光ディスク２５の物理層において規定されている要素であるディスクの種類を識別し、識別したディスクの種類をGUI（Graphical User Interface）生成部２７に供給する。
【００４２】
さらに、制御部２３は、ドライブ２４から供給された光ディスク２５の記録フォーマットや記録フォーマットのバージョンなどを示す情報（以下、ディスク情報と称する）を基に、光ディスク２５のアプリケーション層において規定されている要素である記録フォーマットの種類および記録フォーマットのバージョンを識別する。
【００４３】
また、制御部２３は、デジタルビデオカメラ１１が実行できる処理が制限されるか否かを判定し、判定の結果として、デジタルビデオカメラ１１が実行できる処理が制限されるか否かの情報（以下、バージョン判定情報と称する）を生成し、生成したバージョン判定情報をGUI生成部２７に供給する。
【００４４】
さらに、制御部２３は、メモリ（図示せず）を内蔵し、ネットワーク（図示せず）を介して、通信部３１から供給されたプログラムをメモリにロードするか、またはドライブ２４から供給されたプログラムをメモリにロードし、メモリにロードされたプログラムに従って各種の処理を実行する。さらに、制御部２３は、ユーザの操作に応じて、操作入力部３０から供給される信号を基に、デジタルビデオカメラ１１全体の制御をする。
【００４５】
なお、制御部２３が内蔵するメモリには、制御部２３が各種の処理を実行する上において必要なデータなども適宜記憶される。
【００４６】
ドライブ２４は、制御部２３から供給された制御信号を基に、制御部２３から供給された画像データを装着された光ディスク２５に記録させる。
【００４７】
また、ドライブ２４は、光ディスク２５が装着されると、光ディスク２５の反射率を測定し、サーボをかける。このとき、ドライブ２４は、光ディスク２５から、光ディスクの種類などの情報が記録されているディスクプロファイルを読み出し、読み出したディスクプロファイルを制御部２３に供給する。さらに、ドライブ２４は、光ディスク２５から、光ディスク２５の記録フォーマットなどを示す情報であるディスク情報および画像データを読み出し、読み出したディスク情報および画像データを制御部２３に供給する。
【００４８】
具体的には、ディスクプロファイルは、例えば、DVD-R、DVD-RW、またはDVD+RWなどのメディアタイプ（ディスクの種類）を示す「BookType」、および“Ver1.0”または“Ver2.0”などのバージョンを示す「Part Version」などにより構成される。また、ディスク情報は、例えば、ビデオモード、VRモード、または+VRモードなどの記録フォーマット、およびその記録フォーマットの“Ver1.0”または“Ver2.0”などのバージョンなどにより構成される。
【００４９】
光ディスク２５は、例えば、大容量の光ディスクであるDVDにより構成される。光ディスク２５について、データを保存するための物理的なフォーマットを規定する物理層、データを保存するための論理的なファイルフォーマットを規定する論理層、および例えば、動画像と音声、音声のみ、またはコンピュータで処理するためのデータなど、記録されるデータにより定まる記録フォーマットを規定するアプリケーション層などの階層によって、光ディスク２５の利用するシステムの構成が規定されている。
【００５０】
論理的なファイルフォーマットは、いわゆるファイルシステムにおける、ファイルの論理的な方式を規定するものであり、アプリケーション層の記録フォーマットは、論理的なファイルフォーマットで定まる所定のファイルシステムのファイルに格納される、例えば、動画像と音声のデータ、音声のみのデータ、またはコンピュータで処理されるデータそのものの具体的な配置を規定する。
【００５１】
なお、光ディスク２５は、記録媒体の一例であり、化学的または物理的変化によってデータを記録し、再生において、機械的に駆動されるものであればよい。
【００５２】
デコーダ２６は、制御部２３から供給された画像データをデコードして、デコードされた画像データをGUI生成部２７に供給する。
【００５３】
GUI生成部２７は、制御部２３から供給されたバージョン判定情報を基に、画像データに重畳する記録フォーマットを示すアイコンを生成する。また、GUI生成部２７は、制御部２３から供給されたディスクの種類を基に、画像データに重畳するディスクの種類を示すアイコンを生成する。
【００５４】
GUI生成部２７は、生成された記録フォーマットおよびディスクの種類を示すアイコンを、デコーダ２６から供給される画像データに重畳し、アイコンが重畳された画像データを出力制御部２８に供給する。
【００５５】
なお、アイコンは、GUI生成部２７が生成せずに、例えば、制御部２３に内蔵されたROM（図示せず）に予め記憶しておき、適宜読み出すようにしてもよい。
【００５６】
すなわち、GUI生成部２７は、制御部２３から供給されたバージョン判定情報を基に、制御部２３に内蔵されたROM（図示せず）から、アイコンを読み出し、読み出したアイコンを、デコーダ２６から供給される画像データに重畳するようにしてもよい。また、同様に、GUI生成部２７は、制御部２３から供給されたディスクの種類を基に、制御部２３に内蔵されたROM（図示せず）から、アイコンを読み出し、読み出したアイコンを、デコーダ２６から供給される画像データに重畳するようにしてもよい。
【００５７】
また、GUI生成部２７が、デコーダ２６から供給される画像データに重畳させる画像データは、アイコンに限らず、例えば、文字などの画像（データ）であってもよいし、OSD（On Screen Display）として表示させるための画像（データ）であってもよい。
【００５８】
出力制御部２８は、GUI生成部２７から供給された文字やアイコンなどが重畳された画像データをLCD（Liquid Crystal Display）２９や、端子（図示せず）を介して接続されるディスプレイ装置（図示せず）などに表示させる。
【００５９】
操作入力部３０は、ユーザからの操作コマンドを入力する十字キー、タッチパネルなどの入力ディバイスにより構成され、ユーザの操作に応じた操作信号を制御部２３に供給する。
【００６０】
通信部３１は、ネットワーク（図示せず）を介して、他の装置（図示せず）との通信を行う。
【００６１】
図３は、制御部２３の詳細な構成例を示す図である。
【００６２】
制御部２３は、例えば、光ディスク２５の記録フォーマットを識別する処理や、デジタルビデオカメラ１１が実行できる処理が制限されるか否かを判定する処理などを実行する。
【００６３】
制御部２３は、ディスク種類識別部１１１、フォーマット識別部１１２、バージョン判定部１１３、および機器対応情報記憶部１１４を含む。
【００６４】
ディスク種類識別部１１１は、ドライブ２４から供給されたディスクプロファイルを基に、装着されている光ディスク２５の物理層に規定されているディスクの種類を識別し、識別したディスクの種類をGUI生成部２７に供給する。
【００６５】
例えば、ディスク種類識別部１１１は、ドライブ２４から供給されたディスクプロファイルを基に、光ディスクの物理層に規定されている、DVD-R、DVD-RW、またはDVD+RWなどのディスクの種類のうち、装着された光ディスク２５のディスクの種類がDVD+RWであると識別し、識別したDVD+RWであるディスクの種類をGUI生成部２７に供給する。
【００６６】
フォーマット識別部１１２は、ドライブ２４から供給されたディスク情報を基に、装着された光ディスク２５におけるアプリケーション層の要素である記録フォーマットと、その記録フォーマットのバージョンを識別する。フォーマット識別部１１２は、識別した記録フォーマットおよびその記録フォーマットのバージョンをバージョン判定部１１３に供給する。
【００６７】
例えば、フォーマット識別部１１２は、ドライブ２４から供給されたディスク情報を基に、装着された光ディスク２５のアプリケーション層の要素が、+VRモードである記録フォーマットであって、その記録フォーマットのバージョン（すなわち、+VRモードのバージョン）が“Ver1.2”であるバージョンであることを識別し、識別した“+VRモード”である記録フォーマットおよび“Ver1.2”であるバージョンをバージョン判定部１１３に供給する。
【００６８】
バージョン判定部１１３は、フォーマット識別部１１２から供給された記録フォーマットのバージョン、制御部２３に内蔵されたROM（図示せず）に記憶されたデジタルビデオカメラ１１が対応している記録フォーマットのバージョン、および機器対応情報記憶部１１４から取得した、デジタルビデオカメラ１１が有する機能に関する固有の情報（以下、機器対応情報と称する）を基に、デジタルビデオカメラ１１の実行できる処理が制限されるか否かを判定する。
【００６９】
例えば、バージョン判定部１１３は、フォーマット識別部１１２から供給された記録フォーマットのバージョンが、制御部２３に内蔵されたROMに記憶されたデジタルビデオカメラ１１が対応している記録フォーマットのバージョンより前のバージョンであるか否かを判定する。また、バージョン判定部１１３は、機器対応情報記憶部１１４から取得した機器対応情報を基に、デジタルビデオカメラ１１が実行できる処理が制限されるか否かを判定する。
【００７０】
バージョン判定部１１３は、デジタルビデオカメラ１１の実行できる処理が制限されると判定した場合、バージョン判定情報として、実行できる処理が制限されることを示すバージョン判定情報を生成し、生成したバージョン判定情報をGUI生成部２７に供給する。また、バージョン判定部１１３は、デジタルビデオカメラ１１の実行できる処理が制限されないと判定した場合、実行できる処理の全てを実行できることを示すバージョン判定情報を生成し、生成したバージョン判定情報をGUI生成部２７に供給する。
【００７１】
機器対応情報記憶部１１４は、デジタルビデオカメラ１１が有する機能に関する固有の情報である機器対応情報を記憶し、記憶している機器対応情報をバージョン判定部１１３に供給する。
【００７２】
例えば、機器対応情報は、デジタルビデオカメラ１１が、動画を記録できるか、または静止画を記録できるかなどの情報であり、あるデジタルビデオカメラにおいては、動画と静止画の両方の記録に対応しているが、あるデジタルビデオカメラにおいては、動画の記録のみに対応しているなど、機器ごとに有している機能を示す情報である。
【００７３】
すなわち、機器対応情報は、同じデジタルビデオカメラであっても、ある特定の機種に対しては、全ての機能を使用できるようにしているが、それ以外の機種に対しては、ある制限した機能のみを使用できるようにする場合などに設定される。
【００７４】
また、上述したように、光ディスク２５のアプリケーション層で規定されている記録フォーマットのバージョンによって、デジタルビデオカメラ１１の記録動作（実行可能な処理）が異なる。そこで、次に、図４乃至図９を参照して、バージョンによる記録動作の違いをユーザに提示するデジタルビデオカメラ１１の処理について説明する。
【００７５】
まず、図４のフローチャートを参照して、表示制御の処理について説明する。
【００７６】
ステップＳ１１において、ドライブ２４は、制御部２３の制御の基に、ユーザにより、光ディスク２５が装着されたか否かを判定する。
【００７７】
ステップＳ１１において、光ディスク２５が装着されていないと判定された場合、ステップＳ１１の処理を繰り返す。すなわち、ドライブ２４は、ユーザにより、光ディスク２５が装着されるまで待機している。
【００７８】
ステップＳ１１において、光ディスク２５が装着されていると判定された場合、ステップＳ１２に進み、ドライブ２４は、装着された光ディスク２５の反射率を測定し、サーボをかける。このとき、ドライブ２４は、装着された光ディスク２５から、ディスクプロファイルを読み出し、読み出したディスクプロファイルを制御部２３に供給する。
【００７９】
ステップＳ１３において、ディスク種類識別部１１１は、ドライブ２４から供給されたディスクプロファイルを基に、装着されている光ディスク２５の物理層として規定されているディスクの種類を識別し、識別したディスクの種類をGUI生成部２７に供給する。
【００８０】
例えば、ステップＳ１３において、ディスク種類識別部１１１は、ドライブ２４から供給されたディスクプロファイルを基に、光ディスクの物理層に規定されている、DVD-R、DVD-RW、またはDVD+RWなどのディスクの種類のうち、装着された光ディスク２５のディスクの種類がDVD+RWであると識別し、識別したDVD+RWであるディスクの種類をGUI生成部２７に供給する。
【００８１】
ステップＳ１４において、ドライブ２４は、装着された光ディスク２５に記録されているディスク情報および画像データを読み出し、読み出したディスク情報および画像データを制御部２３に供給する。
【００８２】
そして、制御部２３は、ドライブ２４から供給された画像データをデコーダ２６に供給する。また、デコーダ２６は、制御部２３から供給された画像データをデコードして、デコードされた画像データをGUI生成部２７に供給する。
【００８３】
例えば、ステップＳ１４において、ドライブ２４は、装着された光ディスク２５に記録されている+VRモードである記録フォーマットおよび“Ver1.2”である記録フォーマットのバージョンを示す情報を含むディスク情報、並びに画像データを読み出し、読み出したディスク情報および画像データを制御部２３に供給する。
【００８４】
ステップＳ１５において、フォーマット識別部１１２は、ドライブ２４から供給されたディスク情報を基に、装着された光ディスク２５におけるアプリケーション層の要素である記録フォーマットと、その記録フォーマットのバージョンを識別する。フォーマット識別部１１２は、識別した記録フォーマットおよび記録フォーマットのバージョンをバージョン判定部１１３に供給する。
【００８５】
例えば、ステップＳ１５において、フォーマット識別部１１２は、ドライブ２４から供給されたディスク情報を基に、装着された光ディスク２５のアプリケーション層の要素が、+VRモードである記録フォーマットであって、その記録フォーマットのバージョン（すなわち、+VRモードのバージョン）が“Ver1.2”であるバージョンであることを識別し、識別した+VRモードである記録フォーマットおよび“Ver1.2”であるバージョンをバージョン判定部１１３に供給する。
【００８６】
ステップＳ１６において、バージョン判定部１１３は、機器対応情報記憶部１１４から、デジタルビデオカメラ１１が有する機能を示す情報である機器対応情報を取得する。
【００８７】
例えば、ステップＳ１６において、バージョン判定部１１３は、機器対応情報記憶部１１４から、デジタルビデオカメラ１１が動画および静止画を記録できることを示す機器対応情報を取得する。
【００８８】
ステップＳ１７において、バージョン判定部１１３は、フォーマット識別部１１２から供給された記録フォーマットのバージョン、制御部２３に内蔵されたROMに記憶されたデジタルビデオカメラ１１が対応している記録フォーマットのバージョン、および機器対応情報記憶部１１４から取得した機器対応情報を基に、デジタルビデオカメラ１１の実行できる処理が制限されるか否かを判定する。
【００８９】
ここで、上述したように、光ディスク２５のアプリケーション層で規定されている記録フォーマットには、それぞれにバージョンが規定されているので、同じ記録フォーマットの種類でありながら、バージョンが違うために、許容される動作（実行可能な処理）が異なることがある。例えば、+VRモードである記録フォーマットの場合も、記録フォーマットのバージョンによって、記録動作が異なることがある。
【００９０】
図５は、+VRモードにおける、光ディスクのアプリケーション層で規定されている記録フォーマットのバージョンと、デジタルビデオカメラ１１の記録動作との組み合わせによって、記録動作が可能であるか否かを示す図である。
【００９１】
図５で示される例において、１行目は、アプリケーション層で規定されている記録フォーマットのバージョン（Ver1.2とVer2.0）を示し、１列目は、デジタルビデオカメラ１１の記録動作（動画記録と静止画記録）を示す。すなわち、図５で示される例は、DVD+RWである光ディスクの種類における、+VRモードである記録フォーマットのバージョンの違いによって、デジタルビデオカメラ１１の記録動作が異なることを示している。
【００９２】
なお、図５で示される例において、“○”は、記録動作をすることができることを示し、“×”は、記録動作をすることができないことを示す。
【００９３】
図５の左から２列目で上から２個目の“○”は、+VRモードである記録フォーマットのバージョンが“Ver1.2”のときに、動画を記録する操作がされた場合、動画を記録することができることを示す。また、図５の左から３列目で上から２個目の“○”は、+VRモードである記録フォーマットのバージョンが“Ver2.0”のときに、動画を記録する操作がされた場合、動画を記録することができることを示す。
【００９４】
さらに、図５の左から２列目で上から３個目の“×”は、+VRモードである記録フォーマットのバージョンが“Ver1.2”のときに、静止画を記録する操作がされた場合、静止画を記録することができないことを示す。また、図５の左から３列目で上から３個目の“○”は、+VRモードである記録フォーマットのバージョンが“Ver2.0”のときに、静止画を記録する操作がされた場合、静止画を記録することができることを示す。
【００９５】
すなわち、+VRモードには、“Ver1.2”（バージョン1.2）と“Ver2.0”（バージョン2.0）があり、バージョン1.2では静止画を記録することができないが、それに対して、バージョン2.0では静止画を記録することができる。すなわち、記録フォーマットのバージョンによって動作が異なっている。
【００９６】
ここで、例えば、+VRモードのバージョン2.0に対応したデジタルビデオカメラが、動画と静止画をそれぞれ記録する機能を有しているとき、他の+VRモードのバージョン1.2に対応したデジタルビデオカメラにより記録された光ディスクを、+VRモードのバージョン2.0に対応したデジタルビデオカメラに装着して、この光ディスクにデータを記録する場合、光ディスクには、+VRモードのバージョン1.2でデータが記録されているので、+VRモードのバージョン2.0に対応したデジタルビデオカメラで静止画を記録しようとしても、静止画を記録することはできない。
【００９７】
そこで、デジタルビデオカメラ１１は、バージョン判定部１１３が、フォーマット識別部１１２から供給された記録フォーマットのバージョンが、制御部２３に内蔵されたROMに記憶されたデジタルビデオカメラ１１が対応している記録フォーマットのバージョンより前のバージョンであるか否かを判定し、記録フォーマットのバージョンの違いによって許容される動作が異なることをバージョン判定情報により、GUI生成部２７に通知することで、自分が実行できる処理が異なることをユーザに識別させることができる。
【００９８】
図４のフローチャートに戻り、例えば、ステップＳ１７において、バージョン判定部１１３は、フォーマット識別部１１２から供給された記録フォーマットのバージョンが、制御部２３に内蔵されたROMに記憶されたデジタルビデオカメラ１１が対応している記録フォーマットのバージョンより前のバージョンであるか否かを判定する。また、バージョン判定部１１３は、機器対応情報記憶部１１４から取得した機器対応情報を基に、デジタルビデオカメラ１１が実行できる処理が制限されるか否かを判定する。
【００９９】
このように、バージョン判定部１１３は、例えば、光ディスク２５の記録フォーマットのバージョンが、デジタルビデオカメラ１１が対応しているバージョンより前のバージョンであるか否かを判定したり、機器対応情報が、デジタルビデオカメラ１１が実行できる処理が制限されることを示すか否かを判定することで、デジタルビデオカメラ１１が実行できる処理が制限されるか否かを判定する。
【０１００】
なお、図５で示される例をテーブルとして、制御部２３が内蔵するROM（図示せず）に記憶しておき、バージョン判定部１１３は、そのテーブルを基に、デジタルビデオカメラ１１が実行できる処理が制限されるか否かを判定するようにしてもよい。
【０１０１】
ステップＳ１７において、デジタルビデオカメラ１１の実行できる処理が制限されると判定された場合、ステップＳ１８に進み、バージョン判定部１１３は、バージョン判定情報として、実行できる処理が制限されることを示すバージョン判定情報を生成し、生成したバージョン判定情報をGUI生成部２７に供給する。
【０１０２】
例えば、ステップＳ１８において、バージョン判定部１１３は、フォーマット識別部１１２から供給された+VRモードのバージョンが“Ver1.2”であり、デジタルビデオカメラ１１が対応している+VRモードのバージョンが“Ver2.0”であり、デジタルビデオカメラ１１が静止画および動画に対応している場合、デジタルビデオカメラ１１が静止画および動画に対応しているが、光ディスク２５の記録フォーマットのバージョンが、デジタルビデオカメラ１１が対応しているバージョンより前のバージョンであるために、静止画の記録をすることができないので（すなわち、実行できる処理が制限されるので）、実行できる処理が制限されることを示すバージョン判定情報を生成し、生成したバージョン判定情報をGUI生成部２７に供給する。
【０１０３】
また、例えば、ステップＳ１８において、バージョン判定部１１３は、フォーマット識別部１１２から供給された+VRモードのバージョンが“Ver2.0”であり、デジタルビデオカメラ１１が対応している+VRモードのバージョンが“Ver2.0”であり、デジタルビデオカメラ１１が動画のみに対応している場合、バージョンが、“Ver2.0”で一致しているが、デジタルビデオカメラ１１が静止画に対応していないので（すなわち、実行できる処理が制限されるので）、実行できる処理が制限されることを示すバージョン判定情報を生成し、生成したバージョン判定情報をGUI生成部２７に供給する。
【０１０４】
一方、ステップＳ１７において、デジタルビデオカメラ１１の実行できる処理が制限されないと判定された場合、ステップＳ１９に進み、バージョン判定部１１３は、実行できる処理の全てを実行できることを示すバージョン判定情報を生成し、生成したバージョン判定情報をGUI生成部２７に供給する。
【０１０５】
例えば、ステップＳ１９において、バージョン判定部１１３は、フォーマット識別部１１２から供給された+VRモードのバージョンが“Ver2.0”であり、デジタルビデオカメラ１１が対応している+VRモードのバージョンが“Ver2.0”であり、デジタルビデオカメラ１１が静止画および動画に対応している場合、デジタルビデオカメラ１１が静止画および動画に対応しており、かつ、“Ver2.0”が“Ver2.0”より前のバージョンとならないので（すなわち、実行できる処理の全てを実行できるので）、実行できる処理の全てを実行できることを示すバージョン判定情報を生成し、生成したバージョン判定情報をGUI生成部２７に供給する。
【０１０６】
ステップＳ２０において、GUI生成部２７は、バージョン判定部１１３から供給されたバージョン判定情報に基づいて、画像データに重畳するアイコンを生成する。
【０１０７】
例えば、ステップＳ２０において、GUI生成部２７は、バージョン判定部１１３から供給された、実行できる処理が制限されることを示すバージョン判定情報を基に、実行できる処理が制限されることを示すアイコン（例えば、後述する図６の記録フォーマットアイコン２０１−２）を生成する。また、例えば、ステップＳ２０において、GUI生成部２７は、バージョン判定部１１３から供給された、実行できる処理の全てを実行できることを示すバージョン判定情報を基に、実行できる処理の全てを実行できることを示すアイコン（例えば、後述する図６の記録フォーマットアイコン２０１−３）を生成する。
【０１０８】
また、ステップＳ２０において、GUI生成部２７は、ディスク種類識別部１１１から供給されたディスクの種類を基に、画像データに重畳するアイコンを生成する。
【０１０９】
例えば、ステップＳ２０において、GUI生成部２７は、ディスク種類識別部１１１から供給されたDVD+RWであるディスクの種類を基に、DVD+RWであることをユーザに提示するアイコン（例えば、後述する図６のメディアアイコン２０１−１）を生成する。
【０１１０】
さらに、ステップＳ２０において、GUI生成部２７は、生成されたアイコン（例えば、後述するメディアアイコン２０１−１と図６の記録フォーマットアイコン２０１−２）をデコーダ２６から供給される画像データに重畳し、アイコン（例えば、後述するメディアアイコン２０１−１と図６の記録フォーマットアイコン２０１−２）が重畳された画像データを出力制御部２８に供給する。
【０１１１】
ステップＳ２１において、出力制御部２８は、GUI生成部２７から供給されたアイコンが重畳された画像データをLCD２９に表示させて、処理は終了する。
【０１１２】
例えば、ステップＳ２１において、出力制御部２８は、GUI生成部２７から供給された、実行できる処理が制限されることを示すアイコン（例えば、後述する図６のメディアアイコン２０１−１と記録フォーマットアイコン２０１−２）が重畳された画像データとして、図６の画面をLCD２９に表示させる。
【０１１３】
図６は、実行できる処理が制限される場合における、本発明のデジタルビデオカメラ１１の画面を表示するLCD２９を示す図である。
【０１１４】
図６で示されるデジタルビデオカメラ１１の画面を表示するLCD２９には、上部の右から順に、装着されたDVD（光ディスク）の物理層において規定されているディスクの種類が+RW（すなわち、DVD+RW）であることを示すメディアアイコン２０１−１と、アプリケーション層において規定されている記録フォーマットの種類がVIDEO（すなわち、DVD VIDEO Recordingフォーマット（+VRモード））であることを示す記録フォーマットアイコン２０１−２が示されている。
【０１１５】
また、このとき、記録フォーマットアイコン２０１−２は、VIDEOの文字の色を変えた特徴的なアイコン（例えば、図６の白抜きで記されたVIDEOの文字である記録フォーマットアイコン２０１−２）として表示される。
【０１１６】
このように、デジタルビデオカメラ１１を使用しているユーザは、これらのメディアアイコン２０１−１と記録フォーマットアイコン２０１−２とからなるアイコン２０１を見ることにより、装着されたDVDが書き換え可能であるDVD+RWであり、アプリケーション層において規定されている記録フォーマットの種類がVIDEOであるが、実行できる処理が制限されるため、静止画を記録することができないことを識別できる。
【０１１７】
アイコン２０１の左側には、0:00:00である録画経過時間、すなわち、まだ録画がされていないことを示すカウンタ２０２が示されている。また、カウンタ２０２の左側には、バッテリの残り時間が１２０分であることを示すバッテリ残量２０３が示されている。
【０１１８】
なお、上述した例においては、記録フォーマットのバージョンの違いを記録フォーマットアイコン２０１−２の色を変えることによって、ユーザに提示するようにしたが、それに限らず、例えば、アイコンの形を変えるか、アイコンに記された文字のフォントを変更するか、記録フォーマットのバージョンが異なることを示すメッセージ（または、実行できる処理が制限されることを示すメッセージ）をLCD２９に表示させるか、デジタルビデオカメラ１１に設けられたLED（Light Emitting Diode）（図示せず）を点灯させるか、または放音装置（図示せず）により音を鳴らすなど、ユーザに対して、デジタルビデオカメラ１１の実行できる処理が制限されることを識別させる方法であればよい。
【０１１９】
また、実行できる処理の全てを実行できる場合には、図６の色を変えた記録フォーマットアイコン２０１−２に代えて、静止画を記録することができることを示すアイコン（色を変えていないアイコン）を表示させるようにすればよい。
【０１２０】
図７は、実行できる処理の全てを実行できる場合における、本発明のデジタルビデオカメラ１１の画面を表示するLCD２９を示す図である。図６に示す場合と同様の部分には、同一の符号が付してあり、その説明は（適宜）省略する。
【０１２１】
図７で示されるデジタルビデオカメラ１１の画面を表示するLCD２９には、上部の右から順に、装着されたDVD（光ディスク）の物理層において規定されているディスクの種類が+RW（すなわち、DVD+RW）であることを示すメディアアイコン２０１−１と、アプリケーション層において規定されている記録フォーマットの種類がVIDEO（すなわち、+VRモード）であることを示す記録フォーマットアイコン２０１−３が示されている。
【０１２２】
また、このとき、記録フォーマットアイコン２０１−３は、静止画を記録することができることを示すアイコン（例えば、図７のVIDEOの文字である記録フォーマットアイコン２０１−３）として表示される。
【０１２３】
このように、デジタルビデオカメラ１１を使用しているユーザは、これらのメディアアイコン２０１−１と記録フォーマットアイコン２０１−３とからなるアイコン２０１を見ることにより、装着されたDVDが書き換え可能であるDVD+RWであり、アプリケーション層において規定されている記録フォーマットの種類がVIDEOであり、実行できる処理の全てを実行できるので、静止画を記録することができることを識別できる。
【０１２４】
また、上述した例においては、物理層において規定されているディスクの種類がDVD+RWであり、かつ、アプリケーション層において規定されている記録フォーマットの種類がVIDEO（すなわち、DVD+RW VIDEOフォーマット（+VRモード））である光ディスク２５を一例にして説明したが、本発明はそれに限定されるものではない。例えば、DVD-RWであるディスクの種類であり、かつ、VRモードである記録フォーマットである光ディスクなどであってもよい。
【０１２５】
さらに、図６および図７の場合、記録フォーマットを示すアイコン（例えば、図６の記録フォーマットアイコン２０１−２または図７の記録フォーマットアイコン２０１−３）の色を変えることで、ユーザに対して、記録フォーマットのバージョンの違いを提示したが、ディスクの種類を示すアイコン（例えば、図６および図７のメディアアイコン２０１−１）の色を変えるようにしてもよい（例えば、後述する図８および図９の画面）。
【０１２６】
以下、図８および図９を参照して、上述したパターン以外の光ディスクにおいて、ユーザに対して、記録フォーマットのバージョンの違いを提示する場合について説明する。
【０１２７】
図８は、実行できる処理が制限される場合における、デジタルビデオカメラ１１の画面を表示するLCD２９を示す図である。
【０１２８】
図８で示されるデジタルビデオカメラ１１の画面を表示するLCD２９には、上部の左から順に、装着されたDVD（光ディスク）の物理層において規定されているディスクの種類が-RW（すなわち、DVD-RW）であることを示すメディアアイコン２５１−２と、アプリケーション層において規定されている記録フォーマットの種類がVR（DVD VIDEO Recordingフォーマット（VRモード））であることを示す記録フォーマットアイコン２５１−１が示されている。
【０１２９】
また、このとき、メディアアイコン２５１−２は、-RW（DVD-RW）の文字の色を変えた実行できる処理が制限されることを示すアイコン（例えば、図８のハッチングされた楕円型のメディアアイコン２５１−２）として表示される。
【０１３０】
このように、ユーザは、これらの記録フォーマットアイコン２５１−１とメディアアイコン２５１−２とからなるアイコン２５１を見ることにより、装着されたDVDが書き換え可能であるDVD-RWであり、アプリケーション層において規定されている記録フォーマットの種類がVR（すなわち、DVD VIDEO Recordingフォーマット（VRモード））であるが、実行できる処理が制限されることを識別する。
【０１３１】
アイコン２５１の右側には、0:22:33である録画経過時間、すなわち、録画開始から経過した時間が22分33秒であることを表すカウンタ２５２が示されている。
【０１３２】
図９は、実行できる処理の全てを実行できる場合における、デジタルビデオカメラ１１の画面を表示するLCD２９を示す図である。図８に示す場合と同様の部分には、同一の符号が付してあり、その説明は（適宜）省略する。
【０１３３】
図９で示されるデジタルビデオカメラ１１の画面を表示するLCD２９には、上部の左から順に、装着されたDVD（光ディスク）の物理層において規定されているディスクの種類が-RW（すなわち、DVD-RW）であることを示すディスクアイコン２５１−３と、アプリケーション層において規定されている記録フォーマットの種類がVR（DVD VIDEO Recordingフォーマット（VRモード））であることを示す記録フォーマットアイコン２５１−１が示されている。
【０１３４】
また、このとき、メディアアイコン２５１−３は、DVD+RWの文字の色を変えていない実行できる処理の全てを実行できることを示すアイコン（例えば、図９の楕円型のアイコン２５１−３）として表示される。
【０１３５】
このように、ユーザは、これらのアイコン２５１を見ることにより、装着されたDVDが書き換え可能であるDVD-RWであり、アプリケーション層において規定されている記録フォーマットの種類が（すなわち、DVD VIDEO Recordingフォーマット（VRモード））であり、実行できる処理の全てを実行できると識別する。
【０１３６】
このように、DVD-RWであるディスクの種類であり、かつ、VRモードである記録フォーマットである光ディスクであっても、記録フォーマットのバージョンによる動作（実行可能な処理）の違いを画面に提示することができる。
【０１３７】
なお、バージョンの違いを画面に提示する記録フォーマットは、上述したVRモードと+VRモードに限らず、ビデオモードなどであってもよい。すなわち、本発明のデジタルビデオカメラ１１は、様々な光ディスクにおける、様々な記録フォーマットのバージョンの違いを、ユーザに識別させることができる。
【０１３８】
また、図８および図９の画面と、図６および図７の画面とは、アイコンやカウンタの配置が異なっているが、これらは、画面レイアウトの一例であり、アイコンやカウンタの配置は、本発明を限定するものではない。
【０１３９】
以上のようにして、本発明のデジタルビデオカメラ１１は、ユーザに対して、より正確に、ドライブ２４に装着された光ディスク２５に関する情報を提供することができる。
【０１４０】
なお、上述した例においては、記録フォーマットのバージョンとして、DVD+RW VIDEOフォーマット（+VRモード）の“Ver1.2”および“Ver2.0”であるバージョンを一例にして説明したが、本発明はそれに限定されるものではない。さらに、上述した例においては、光ディスク２５として、DVDを一例にして説明したが、本発明はそれに限定されず、例えば、CD（Compact Disc）、Blu-ray Disc（商標）などのDVD以外の光ディスク、HDD（Hard Disk Drive）、フラッシュメモリ、またはメモリスティック（商標）などに適用することができる。
【０１４１】
さらに、上述した例においては、アプリケーション層において規定されている記録フォーマットのバージョンの違う場合の処理について説明したが、本発明においては、論理層に規定されているファイルフォーマットのバージョンが違う場合にも対応することができる。
【０１４２】
例えば、光ディスク２５の論理層で規定されているUDFであるファイルフォーマットのバージョンが、“Ver1.5”であり、デジタルビデオカメラ１１が対応しているUDFであるファイルフォーマットのバージョンが、“Ver2.0”である場合、フォーマット識別部１１２は、光ディスク２５の論理層で規定されているUDFであるファイルフォーマットのバージョンを識別して、バージョン判定部１１３に供給する。
【０１４３】
この場合、バージョン判定部１１３は、フォーマット識別部１１２から供給されるファイルフォーマットのバージョンが、デジタルビデオカメラ１１で対応しているUDFであるファイルフォーマットのバージョンより前のバージョンとなるかを判定し、“Ver1.5”が“Ver2.0”より前のバージョンとなるので、実行できる処理が制限されることを示すバージョン判定情報をGUI生成部２７に供給することで、画像データに色の変化したアイコンを画像データに重畳させる。
【０１４４】
このように、論理層で規定されているファイルフォーマットのバージョンが違う場合にも、ユーザは、色を変えられたアイコンを見ることにより、デジタルビデオカメラ１１の実行できる処理が制限されることを識別する。
【０１４５】
また、上述した一連の処理は、ハードウェアにより実行させることもできるが、ソフトウェアにより実行させることもできる。この場合、例えば、デジタルビデオカメラ１１は、図１０に示されるようなデジタルビデオカメラ３０１により構成される。
【０１４６】
図１０において、CPU（Central Processing Unit）３１１は、ROM３１２に記憶されているプログラム、または記録部３１９からRAM（Random Access Memory）３１３にロードされたプログラムに従って、各種の処理を実行する。RAM３１３には、CPU３１１が各種の処理を実行する上において必要なデータなどが適宜記憶される。
【０１４７】
CPU３１１、ROM３１２、およびRAM３１３は、バス３１４を介して、相互に接続されている。このバス３１４には、入出力インターフェイス３１５も接続されている。
【０１４８】
入出力インターフェイス３１５には、被写体の撮像をするカメラ部３１６、十字キー、タッチパネルなどよりなる入力部３１７、LCDなどよりなるディスプレイおよびスピーカなどよりなる出力部３１８、記録部３１９、モデム、ターミナルアダプタなどより構成される通信部３２０が接続されている。通信部３２０は、ネットワーク（図示せず）などを介しての通信処理を行う。
【０１４９】
入出力インターフェイス３１５には、必要に応じて、ドライブ３２１が接続され、磁気ディスク３３１、光ディスク３３２、光磁気ディスク３３３、または半導体メモリ３３４などが適宜装着され、それから読み出されたコンピュータプログラムが、必要に応じて、記録部３１９にインストールされる。
【０１５０】
一連の処理をソフトウェアにより実行させる場合には、そのソフトウェアを構成するプログラムが、専用のハードウェアに組み込まれているコンピュータ、または各種のプログラムをインストールすることで、各種の機能を実行することが可能な、例えば汎用のパーソナルコンピュータなどに、記録媒体からインストールされる。
【０１５１】
この記録媒体は、図１０に示すように、装置本体とは別に、ユーザにプログラムを提供するために配布される、プログラムが記録されている磁気ディスク３３１（フレキシブルディスクを含む）、光ディスク３３２（CD-ROM(Compact Disc-Read Only Memory)を含む）、光磁気ディスク３３３（MD（商標）を含む）、若しくは半導体メモリ３３４などよりなるパッケージメディアにより構成されるだけでなく、装置本体に予め組み込まれた状態でユーザに提供される、プログラムが記録されているROM３１２や、記録部３１９などで構成される。
【０１５２】
また、上述した一連の処理を実行させるプログラムは、必要に応じてルータ、モデムなどのインターフェイスを介して、ローカルエリアネットワーク、インターネット、デジタル衛星放送といった、有線または無線の通信媒体を介してコンピュータにインストールされるようにしてもよい。
【０１５３】
なお、本明細書において、記録媒体に格納されるプログラムを記述するステップは、記載された順序に沿って時系列的に行われる処理はもちろん、必ずしも時系列的に処理されなくとも、並列的あるいは個別に実行される処理をも含むものである。
【図面の簡単な説明】
【０１５４】
【図１】従来のデジタルビデオカメラの画面を表示する表示部を示す図である。
【図２】本発明を適用したデジタルビデオカメラの一実施の形態の構成を示すブロック図である。
【図３】制御部の詳細な構成例を示す図である。
【図４】表示制御の処理を説明するフローチャートである。
【図５】アプリケーション層で規定されている記録フォーマットのバージョンと、記録動作との組み合わせによって、記録動作が可能であるか否かを示す図である。
【図６】本発明のデジタルビデオカメラの画面を表示するLCDを示す図である。
【図７】本発明のデジタルビデオカメラの画面を表示するLCDを示す図である。
【図８】本発明のデジタルビデオカメラの画面を表示するLCDを示す図である。
【図９】本発明のデジタルビデオカメラの画面を表示するLCDを示す図である。
【図１０】本発明を適用したデジタルビデオカメラの他の構成例を示す図である。
【符号の説明】
【０１５５】
１１  デジタルビデオカメラ，  ２１  カメラ部，  ２２  エンコーダ，  ２３  制御部，  ２４  ドライブ，  ２５  光ディスク，  ２６  デコーダ，  ２７  GUI生成部，  ２８  出力制御部，  ２９  LCD，  ３０  操作制御部，  ３１  通信部，  １０１  制御プログラム，  １１１  ディスク種類識別部，  １１２  フォーマット識別部，  １１３  バージョン判定部，  １１４  機器対応情報記憶部
【図１】
2006155741.tif 000003
【図２】
2006155741.tif 000004
【図３】
2006155741.tif 000005
【図４】
2006155741.tif 000006
【図５】
2006155741.tif 000007
【図６】
2006155741.tif 000008
【図７】
2006155741.tif 000009
【図８】
2006155741.tif 000010
【図９】
2006155741.tif 000011
【図１０】
2006155741.tif 000012